(57)【要約】【課題】ケーブルグランドのスリーブを押圧するナットが誤操作や悪戯によって緩められることを防止する。【解決手段】ケーブルグランド１のスリーブ押圧用ナット８にケーブルグランド用ナットカバー３０を装着する。このケーブルグランド用ナットカバー３０は、ケーブルグランド１のスリーブ押圧用ナット８の工具係合部８ｃを被覆する円筒部３１と、円筒部３１に設けられて、スリーブ押圧用ナット８の奥側端部に係合する抜け防止係合部３２と、同じく円筒部３１に設けられて、スリーブ押圧用ナット８の手前側端部に係合する押し込み規制係合部３３と、を備える。抜け防止係合部３２には、奥側から手前側に向かって中心線側に傾斜したテーパ部３２ａが形成されている。【選択図】  図３
2011062052.tif 000002
【特許請求の範囲】
【請求項１】
ケーブルグランドのスリーブ押圧用ナットに装着されるケーブルグランド用ナットカバーであって、
前記スリーブ押圧用ナットの工具係合部を相対回転自在に被覆する筒部と、
前記筒部に設けられ、前記スリーブ押圧用ナットの奥側端部に係合する抜け防止係合部と、
を備えることを特徴とするケーブルグランド用ナットカバー。
【請求項２】
請求項１に記載のケーブルグランド用ナットカバーにおいて、
前記抜け防止係合部には、奥側から手前側に向かって中心側に傾斜したテーパ部が形成されていることを特徴とするケーブルグランド用ナットカバー。
【請求項３】
請求項１又は２に記載のケーブルグランド用ナットカバーにおいて、
前記筒部に設けられ、前記スリーブ押圧用ナットの手前側端部に係合する押し込み規制係合部を更に備えることを特徴とするケーブルグランド用ナットカバー。
【請求項４】
請求項１〜３の何れか１項に記載のケーブルグランド用ナットカバーにおいて、
前記筒部は、複数の筒構成部材からなり、
前記複数の筒構成部材同士は、これらの筒構成部材と一体に形成された架橋部によって連結されていることを特徴とするケーブルグランド用ナットカバー。
【請求項５】
請求項４に記載のケーブルグランド用ナットカバーにおいて、
前記架橋部は、前記筒部の外周面より外側に湾曲していることを特徴とするケーブルグランド用ナットカバー。
【請求項６】
請求項１〜３の何れか１項に記載のケーブルグランド用ナットカバーにおいて、
前記筒部は、２つの筒構成部材からなり、
前記２つの筒構成部材の一方の端部同士は、これらの筒構成部材と一体に形成された架橋部によって連結されており、
前記２つの筒構成部材の他方の端部同士は、留め具により留め付け可能となっており、
前記留め具は、
一方の筒構成部材の端部から周方向に突出し且つ径方向に開口した環状部と、
他方の筒構成部材の端部に形成され、前記環状部が径方向に嵌まり込む凹部と、
前記他方の筒構成部材の端部に形成され、前記環状部内に係合する係合凸部と、
を有しており、
前記他方の筒構成部材には、前記係合凸部が前記環状部内に係合するときに当該環状部の先端縁部に沿うように、径方向外側に突出した突起部が形成されている、
ことを特徴とするケーブルグランド用ナットカバー。
【請求項７】
請求項１〜３の何れか１項に記載のケーブルグランド用ナットカバーにおいて、
前記筒部は、２つの筒構成部材からなり、
前記２つの筒構成部材の一方の端部同士は、これらの筒構成部材と一体に形成された架橋部によって連結されており、
前記２つの筒構成部材の他方の端部同士は、留め付け手段により留め付け可能となっており、
前記留め付け手段は、
前記２つの筒構成部材の端部からそれぞれ径方向外側に突出し互いに連続したビス挿通孔を形成する一対のビス取付部と、
前記ビス挿通孔に挿通されたビスと、
を有する、
ことを特徴とするケーブルグランド用ナットカバー。
【発明の詳細な説明】
【技術分野】
【０００１】
本発明は、ケーブルグランドのスリーブ押圧用ナットを被覆するケーブルグランド用ナットカバーに関する。
【背景技術】
【０００２】
電気機器の筺体等の壁体を貫通するケーブルを保持するとともに、その壁体の貫通部とケーブルとの間から水、油、粉塵等が侵入することを防止するために、ケーブルグランドが従来より使用されている。
【０００３】
上記ケーブルグランドの多くは、グランド本体、スリーブ、袋ナット等で構成されている。グランド本体は、筺体等の壁体を貫通して取付けられる管状部材であり、その内部にゴム製のスリーブが嵌め込まれている。ケーブルは、グランド本体およびスリーブ内を貫通して設けられる。また、グランド本体には、スリーブをグランド本体内に押圧するための袋ナットが螺着されており、この袋ナットを締め付けることで、スリーブを内径側に撓ませてケーブルを隙間無く保持させることができる。これにより、壁体内への水、油、粉塵等の侵入が防止されるようになっている（例えば特許文献１を参照）。
【先行技術文献】
【特許文献】
【０００４】
【特許文献１】特開２００７−３７３６４号公報
【発明の概要】
【発明が解決しようとする課題】
【０００５】
ところで、ケーブルグランドの袋ナットが、誤操作（例えば、袋ナットに手や物が当たってその袋ナットを緩めてしまう場合）や悪戯によって緩められることがあり、そうなると、スリーブとケーブルとの間に隙間ができ、その隙間より壁体内に水、油、粉塵等が侵入するおそれが生じる。
【０００６】
本発明はかかる問題に鑑みて創案されたものであり、ケーブルグランドのスリーブを押圧するナットが誤操作や悪戯によって緩められることを防止するケーブルグランド用ナットカバーを提供することを目的とする。
【課題を解決するための手段】
【０００７】
上述の課題を解決するための手段として、本発明のケーブルグランド用ナットカバーは、以下のように構成されている。
【０００８】
すなわち、本発明のケーブルグランド用ナットカバー（第１の発明）は、ケーブルグランドのスリーブ押圧用ナットに装着されるケーブルグランド用ナットカバーであって、前記スリーブ押圧用ナットの工具係合部を相対回転自在に被覆する筒部と、前記筒部に設けられ、前記スリーブ押圧用ナットの奥側端部に係合する抜け防止係合部とを備えることを特徴としている。
【０００９】
かかる構成を備えるケーブルグランド用ナットカバーによれば、筒部がスリーブ押圧用ナットの工具係合部を被覆し、筒部とスリーブ押圧用ナットとが回転方向に係合しないことから、誤操作によりこのケーブルグランド用ナットカバーを廻してしまっても、ケーブルグランド用ナットカバーのみが空回りしてその中のスリーブ押圧用ナットは緩まない。また、スリーブ押圧用ナットの工具係合部は、筒部に被覆されているため、スパナ、レンチ等の工具をスリーブ押圧用ナットの工具係合部に係合させることができない。しかも、抜け防止係合部がスリーブ押圧用ナットの奥側端部に係合しており、このケーブルグランド用ナットカバーを簡単に取り外すことができないようになっている。このため、悪戯によってスリーブ押圧用ナットを緩めることが困難となっている。
【００１０】
また、前記抜け防止係合部には、奥側から手前側に向かって中心側に傾斜したテーパ部が形成されていることが望ましい（第２の発明）。
【００１１】
かかる構成を備えるケーブルグランド用ナットカバーによれば、筒部の抜け防止係合部が設けられている部分が外側に広がり易くなるので、このケーブルグランド用ナットカバーのスリーブ押圧用ナットへの装着が容易になる。
【００１２】
また、本発明のケーブルグランド用ナットカバー（第３の発明）は、好ましくは、前記筒部に設けられ、前記スリーブ押圧用ナットの手前側端部に係合する押し込み規制係合部を更に備えたものである。
【００１３】
かかる構成を備えるケーブルグランド用ナットカバーによれば、抜け防止係合部と押し込み規制係合部との間にスリーブ押圧用ナットの工具係合部が常に配置され、工具係合部が筒部からはみ出ることを防止することができる。
【００１４】
また、前記筒部は、複数の筒構成部材からなり、前記複数の筒構成部材同士は、これらの筒構成部材と一体に形成された架橋部によって連結されていることが望ましい（第４の発明）。
【００１５】
かかる構成を備えるケーブルグランド用ナットカバーによれば、スリーブ押圧用ナットに装着された状態で架橋部をニッパ等の切断工具を使って切断するだけで容易にこのケーブルグランド用ナットカバーをスリーブ押圧用ナットから取り外すことができる。
【００１６】
また、前記架橋部は、前記筒部の外径より外側に湾曲していることが望ましい（第５の発明）。
【００１７】
かかる構成を備えるケーブルグランド用ナットカバーによれば、ニッパ等の切断工具によって架橋部を切断し易くなる。
【００１８】
また、本発明のケーブルグランド用ナットカバー（第６の発明）は、既述の第１〜第３の発明の何れかにおいて、前記筒部は、２つの筒構成部材からなり、前記２つの筒構成部材の一方の端部同士は、これらの筒構成部材と一体に形成された架橋部によって連結されており、前記２つの筒構成部材の他方の端部同士は、留め具により留め付け可能となっている。そして、前記留め具は、一方の筒構成部材の端部から周方向に突出し且つ径方向に開口した環状部と、他方の筒構成部材の端部に形成され、前記環状部が径方向に嵌まり込む凹部と、前記他方の筒構成部材の端部に形成され、前記環状部内に係合する係合凸部と、を有している。また、前記他方の筒構成部材には、前記係合凸部が前記環状部内に係合するときに当該環状部の先端縁部に沿うように、径方向外側に突出した突起部が形成されている。
【００１９】
かかる構成を備えるケーブルグランド用ナットカバーによれば、突起部が設けられていることにより、留め具の環状部に指先が掛かり難くなり、素手で係合状態を解除することが難しくなる。
【００２０】
また、本発明のケーブルグランド用ナットカバー（第７の発明）は、既述の第１〜第３の発明の何れかにおいて、前記筒部は、２つの筒構成部材からなり、前記２つの筒構成部材の一方の端部同士は、これらの筒構成部材と一体に形成された架橋部によって連結されており、前記２つの筒構成部材の他方の端部同士は、留め付け手段により留め付け可能となっている。そして、前記留め付け手段は、前記２つの筒構成部材の端部からそれぞれ径方向外側に突出し互いに連続したビス挿通孔を形成する一対のビス取付部と、前記ビス挿通孔に挿通されたビスと、を有している。
【００２１】
かかる構成を備えるケーブルグランド用ナットカバーによれば、ビスにより２つの筒構成部材が固定されるため、ケーブルグランドへの装着時にはドライバを使って簡単に装着することができる一方、ドライバ等の工具なしでは装着したケーブルグランドから取り外すことが難しくなる。
【発明の効果】
【００２２】
本発明に係るケーブルグランド用ナットカバーによれば、筒部がスリーブ押圧用ナットの工具係合部を被覆するため、スリーブ押圧用ナットが誤操作や悪戯によって簡単に緩められることが防止される。
【図面の簡単な説明】
【００２３】
【図１】ケーブルグランドを示す図である。（Ａ）は中心線より上側が断面図であり中心線より下側が側面図である。（Ｂ）は正面図である。
【図２】第１の実施の形態に係るケーブルグランド用ナットカバーを示す図である。（Ａ）は平面図である。（Ｂ）は中心線より下側が側面図であり中心線より上側が断面図である。（Ｃ）は底面図である。（Ｄ）は中心線より左側が正面図であり、中心線より右側が断面図である。
【図３】ケーブルグランドの袋ナットに第１の実施の形態に係るケーブルグランド用ナットカバーを装着した状態を示す図である。（Ａ）は中心線より上側が断面図であり中心線より下側が側面図である。（Ｂ）は正面図である。
【図４】第２の実施の形態に係るケーブルグランド用ナットカバーを示す図である。（Ａ）は平面図である。（Ｂ）は断面図である。（Ｃ）は底面図である。（Ｄ）は左側面図である。
【図５】第２の実施の形態に係るケーブルグランド用ナットカバーを示す展開図である。（Ａ）は平面図である。（Ｂ）は正面図である。（Ｃ）は左側面図である。（Ｄ）は右側面図である。
【図６】ケーブルグランドの袋ナットに第２の実施の形態に係るケーブルグランド用ナットカバーを装着した状態を示す図である。（Ａ）は中心線より上側が断面図であり中心線より下側が側面図である。（Ｂ）は正面図である。
【図７】第３の実施の形態に係るケーブルグランド用ナットカバーを示す図である。（Ａ）は平面図である。（Ｂ）は断面図である。（Ｃ）は底面図である。
【図８】ケーブルグランドの袋ナットに第４の実施の形態に係るケーブルグランド用ナットカバーを装着した状態を示す図である。（Ａ）は中心線より上側が断面図であり中心線より下側が側面図である。（Ｂ）は正面図である。
【図９】第５の実施の形態に係るケーブルグランド用ナットカバーを示す展開図である。（Ａ）は平面図である。（Ｂ）は正面図である。（Ｃ）は左側面図である。（Ｄ）は右側面図である。
【図１０】第５の実施の形態に係るケーブルグランド用ナットカバーの正面図である。
【発明を実施するための形態】
【００２４】
以下、本発明の実施の形態について図面を参照しながら説明する。図１は本発明の実施の形態に係るケーブルグランド用ナットカバーが装着されるケーブルグランド１の一例を示している。
【００２５】
図１に示すケーブルグランド１は、電気機器の筺体の壁体２を貫通して取付けられている。このケーブルグランド１は、壁体２を貫通して設置される電源ケーブル等のケーブル３を壁体２上に保持し、貫通穴２ａとケーブル３との間から筺体内への水、油、粉塵等の異物の侵入を防止する。なお、本明細書では、筺体の外から壁体２に向かって奥側を単に「奥側」といい、筺体の外から壁体２に向かって手前側を単に「手前側」という。
【００２６】
上記ケーブルグランド１は、グランド本体５、スリーブ６、袋ナット８、ロック用ナット１０、ゴムパッキン１１等を備えている。
【００２７】
グランド本体５は、壁体２を貫通して取付けられ、その内部にケーブル３を挿通した管状部材である。グランド本体５は、その外周部の中間位置に六角形の工具係合部５ａを有する。グランド本体５には、工具係合部５ａより奥側に、ロック用ナット１０が螺着可能な雄ねじ５ｂが形成され、工具係合部５ａより手前側に、袋ナット８が螺着可能な雄ねじ５ｃが形成されている。また、グランド本体５の内部には、手前側から奥側に向かって縮径したテーパ部５ｄが形成されている。
【００２８】
グランド本体５は、その工具係合部５ａより奥側部が壁体２に設けられた貫通穴２ａに挿通され、ロック用ナット１０にて壁体２に固定される。なお、壁体２の表側とグランド本体５の工具係合部５ａとの間には、環状のゴムパッキン１１が介装されており、これにより、グランド本体５の外周部と貫通穴２ａとの間から水、油、粉塵等の異物が壁体２内に侵入することを防止している。
【００２９】
スリーブ６は、外周面が手前側から奥側に向かって縮径したゴム製等の可撓性の筒体である。このスリーブ６は、グランド本体５のテーパ部５ｄに嵌まり込んでおり、袋ナット８が締め付けられることで、内径側に撓んでその内部を挿通するケーブル３を弾性的に保持する。スリーブ６の長さ寸法は、テーパ部５ｄに嵌まり込んだ状態で、グランド本体５の手前側端部から所定量突出するものとなっている。また、スリーブ６の外周面の傾斜の度合いはテーパ部５ｄの傾斜の度合いより緩やかである。
【００３０】
袋ナット８は、グランド本体５の手前側の雄ねじ５ｃに螺着され、スリーブ６の手前側端部を奥側（グランド本体５内）に向かって押圧している。この袋ナット８は、スリーブ６が変形してケーブル３を隙間無く保持するために必要な締め付けトルクにて締め付けられる。なお、袋ナット８とグランド本体５の工具係合部５ａとの間には、後述する抜け防止係合部３２（図３参照）が入り込むスペースが確保されている。
【００３１】
以上のケーブルグランド１を電気機器の筺体の壁体２に取付けるには、まず、グランド本体５の奥側の雄ねじ５ｂにゴムパッキン１１を取り付け、電気機器の筺体の壁体２に設けられた貫通穴２ａにグランド本体５の雄ねじ５ｂを挿入する。そして、グランド本体５の雄ねじ５ｂに壁体２の内側よりロック用ナット１０を螺着し、これを締め付ける。
【００３２】
つぎに、ケーブル３を袋ナット８、スリーブ６に順次挿通する（この時の袋ナット８、スリーブ６の向きは図１に示すものと同じ向きにする。）。その後、ケーブル３を手前側よりグランド本体５内に挿通し、スリーブ６をグランド本体５内のテーパ部５ｄに嵌め込む。そして、グランド本体５の雄ねじ５ｃに袋ナット８を螺着させ、既述した締め付けトルクにて袋ナット８を締め付ける。以上によりケーブルグランド１が電気機器の筺体の壁体２に取付けられる。
【００３３】
［第１の実施形態］
以下、本発明の第１の実施の形態に係るケーブルグランド用ナットカバー３０（以下単に「ナットカバー３０」という。）について図２および図３に基づいて説明する。
【００３４】
ナットカバー３０は、袋ナット８に装着されることで、誤操作、悪戯等により、その袋ナット８が緩められることを防止するためのものである。このナットカバー３０は、円筒部（筒部）３１、抜け防止係合部３２、押し込み規制係合部３３等を備えている。ナットカバー３０に適用する材料は特に限定されないが、例えば、軽量かつ耐候性に優れた樹脂材料を適用することが望ましい。
【００３５】
円筒部３１は、ナットカバー３０が袋ナット８に装着された状態で、工具係合部８ｃを相対回転自在に被覆するように、その内径、幅等の寸法が設定されている。なお、図３に示すように、袋ナット８が六角袋ナットである場合は、工具係合部８ｃは六角形の部分となる。
【００３６】
抜け防止係合部３２は、円筒部３１の奥側端部から袋ナット８の中心側に向かって突出し、ナットカバー３０が袋ナット８に装着された状態で、袋ナット８の奥側端部に係合するように形成されている。この抜け防止係合部３２の突出寸法は、工具係合部８ｃが何れの回転位置にあっても常に袋ナット８の奥側端部に係合可能な寸法となっている。また、この抜け防止係合部３２には、奥側から手前側に向かって中心側（円筒部３１の中心線側）に傾斜したテーパ部３２ａが形成されている。
【００３７】
本実施形態では、抜け防止係合部３２は、円筒部３１の奥側端部の２箇所に周方向に１８０°の間隔をおいて設けられているが、この抜け防止係合部３２は、円筒部３１の奥側端部の１箇所のみに設けられていてもよく、３箇所以上に設けられていてもよい。また、抜け防止係合部３２は、円筒部３１の奥側端部の全周に亘って設けられていてもよい。また、抜け防止係合部３２は、円筒部３１の奥側端部より所定寸法手前側に設けられていてもよい。
【００３８】
押し込み規制係合部３３は、円筒部３１の手前側端部から袋ナット８の中心側に向かって突出し、ナットカバー３０が袋ナット８に装着された状態で、袋ナット８の手前側端部に係合するように形成されている。この押し込み規制係合部３３と抜け防止係合部３２とによって、常に袋ナット８の工具係合部８ｂを被覆可能な位置に円筒部３１を保持している。なお、押し込み規制係合部３３の突出寸法は、工具係合部８ｃが何れの回転位置にあっても常に袋ナット８の手前側端部に係合する寸法となっている。
【００３９】
本実施形態では、押し込み規制係合部３３は、円筒部３１の手前側端部の全周に亘って設けられているが、円筒部３１の手前側端部の一部に設けられていてもよい。また、円筒部３１の手前側端部より所定寸法奥側に設けられていてもよい。
【００４０】
既述した円筒部３１は、２つの円筒構成部材（筒構成部材）３１Ａ，３１Ｂからなる。これらの円筒構成部材３１Ａ，３１Ｂ同士は、円筒部３１と略同じ幅寸法を有する架橋部３４によって連結されている。この架橋部３４は、円筒構成部材３１Ａ，３１Ｂと一体に形成され、円筒部３１の外周面より外側に湾曲している。また、押し込み規制係合部３３には、円筒構成部材３１Ａ，３１Ｂ同士の境界部に続くスリット３３ａ，３３ａが形成されている。
【００４１】
なお、後に説明するナットカバー３０の取り外し作業を容易にするために、架橋部３４の肉厚は、薄肉（例えば、円筒構成部材３１Ａ，３１Ｂより薄肉）であることが望ましい。また、架橋部３４の幅寸法は、円筒部３１の幅寸法と略同じ寸法となっているが、円筒部３１の幅寸法より格段に小さく（例えば円筒部３１の幅寸法の１／２以下等に）してもよい。
【００４２】
以上に説明したナットカバー３０をケーブルグランド１の袋ナット８に取付けるには、まず、ナットカバー３０の開口を袋ナット８に合わせて奥側へ押し込む。このとき、抜け防止係合部３２が設けられている部分が径方向外側に押し広げられて円筒部３１が少し楕円筒状に歪むようになる。そして更にナットカバー３０が奥側へ押し込まれると、その抜け防止係合部３２が袋ナット８の奥側端部に達し、径方向外側に押し広げられて歪んでいた円筒部３１は元の円筒状に戻って、抜け防止係合部３２は袋ナット８の奥側端部に係合する。つまり、ナットカバー３０は、図３に示すように袋ナット８に装着される。
【００４３】
ナットカバー３０が袋ナット８に装着された状態では、ナットカバー３０の円筒部３１は袋ナット８の工具係合部８ｃを被覆している。そして、円筒部３１の内周面は、袋ナット８の最大外径部より大きく、円筒部３１と袋ナット８とは回転方向に係合し合うことがない（つまり相対回転自在となっている。）。このため、ナットカバー３０を誤操作により廻してしまっても、ナットカバー３０が空回りしてその中の袋ナット８は緩まないようになっている。
【００４４】
また、袋ナット８の工具係合部８ｃは、ナットカバー３０の円筒部３１に被覆されているため、スパナ、レンチ等の工具を袋ナット８の工具係合部８ｃに係合させることができない。しかも、ナットカバー３０は、抜け防止係合部３２が袋ナット８の奥側端部に係合しており、簡単に取り外すことができないようになっている。すなわち、袋ナット８を悪戯等によって緩めることが困難となっている。
【００４５】
ところで、ケーブルグランド１の袋ナット８に装着された上記ナットカバー３０は、素手では容易に取り外すことができないものの、ニッパ等の切断工具を使えば容易に取り外すことができるようになっている。つまり、円筒部３１の外周面より外側に湾曲した架橋部３４を、ニッパ等の切断工具を用いて切断するだけで、ナットカバー３０を２つに分割して袋ナット８から取り外すことができるようになっている。
【００４６】
また、既述したように、架橋部３４の肉厚を薄くしたり、その幅寸法を小さくしておけば、上記切断作業を更に容易にすることができる。もちろん、素手で架橋部３４が破断されないように、架橋部３４の肉厚および幅寸法を設定することは必要である。
【００４７】
［第２の実施形態］
以下、第２の実施の形態に係るケーブルグランド用ナットカバー３０Ａ（以下単に「ナットカバー３０Ａ」という。）について図４〜図６に基づいて説明する。なお、第１の実施の形態に係るナットカバー３０と同様の構成については同符号を付してその説明を省略する。
【００４８】
本実施形態に係るナットカバー３０Ａも、第１の実施の形態に係るナットカバー３０と同様に、ケーブルグランド１の袋ナット８に装着されるものであり、円筒部３５、抜け防止係合部３２、押し込み規制係合部３３等を備えている。そして、その円筒部３５により袋ナット８の工具係合部８ｃを被覆して、誤操作、悪戯等によって袋ナット８が緩められることを防止する。
【００４９】
円筒部３５は、第１の実施の形態における円筒部３１と同様に、ナットカバー３０Ａが袋ナット８に装着された状態で、工具係合部８ｃを相対回転自在に被覆する。本実施形態においても円筒部３５は２つの円筒構成部材３５Ａ，３５Ｂからなるが、これらの円筒構成部材３５Ａ，３５Ｂの一方の端部同士のみが架橋部３４Ａによって連結されている。なお、この架橋部３４Ａは、円筒構成部材３５Ａ，３５Ｂと一体に形成され、その肉厚は、ヒンジとして機能し易いようにできるだけ薄くなっている（例えば円筒構成部材３５Ａ，３４Ｂより薄い）ことが望ましい。
【００５０】
また、円筒構成部材３５Ａ，３５Ｂの他方の端部同士は、留め具３６により留め付け可能となっている。この留め具３６は、円筒構成部材３５Ａ側に形成された環状部３７と、円筒構成部材３５Ｂ側に形成された凹部３８および係合凸部４０とで構成されている。環状部３７は、円筒構成部材３５Ａの端部から周方向に突出し、円筒構成部材３５Ａの径方向に開口している。凹部３８は、円筒構成部材３５Ｂの端部外周側に形成されており、上記環状部３７が嵌まり込むように、同環状部３７の先端側部分の形状に対応して円筒構成部材３５Ｂの径方向に凹んだ形状となっている。係合凸部４０は、環状部３７の開口形状に対応して円筒構成部材３５Ｂの径方向に突出しており、環状部３７内に係合するようになっている。なお、本実施形態では、上記凹部３８の凹み深さと係合凸部４０の突出高さとが同値となっており、留め具３６が係合した状態では、環状部３７の外周面と円筒構成部材３５Ｂの外周面とが面一状態になる。
【００５１】
また、上記留め具３６の近くには、この留め具３６の環状部３７と係合凸部４０との係合状態を安定的に保持するために、図５に示すような、突出片３９および突出片嵌入部４３が設けられている。突出片３９は、円筒構成部材３５Ａの端部から周方向に突出して設けられている。突出片３９の肉厚は、円筒構成部材３５Ａの肉厚の略半分とされ、円筒構成部材３５Ａの内周面に沿って設けられている。突出片嵌入部４３は、円筒構成部材３５Ａ，３５Ｂが円筒を形成する際に突出片３９が嵌入するよう円筒構成部材３５Ｂの端部に設けられている。
【００５２】
また、円筒構成部材３５Ｂには、その他に符号４１で示す突起部４１が形成されている。この突起部４１は、円筒構成部材３５Ｂの径方向外側に突出しており、係合凸部４０が環状部３７内に係合するとき、その環状部３７の先端縁部に沿うように設けられている。
【００５３】
この突起部４１は、人間の指先が環状部３７に掛かり難くするためのものである。故に、突起部４１の幅寸法Ｌ１は、環状部３７の幅寸法Ｌ２と同等かそれ以上となっていることが望ましい。また、突起部４１の径方向高さ（突出高さ）は、環状部３７の径方向の高さ（厚さ）と同等かそれ以上となっていることが望ましい。図４〜図６においては、突起部４１の径方向高さは、環状部３７の径方向高さより格段に高くなっている。なお、係合凸部４０が環状部３７内に係合しているときの突起部４１と係合凸部４０との間には、指先が環状部３７に掛かり難くなっている限り、多少の隙間があってもよい。もちろん、全く隙間が確保されていなくてもよい。
【００５４】
以上に説明したナットカバー３０Ａをケーブルグランド１の袋ナット８に取付けるに当たっては、まず、留め具３６の環状部３７と係合凸部４０との係合を解除して、円筒部３５を開いた状態にする（図５に示すような状態にする）。そして、抜け防止係合部３２が設けられている方を奥側に配置し、その抜け防止係合部３２を袋ナット８の奥側端部位置に合わせて円筒構成部材３５Ａ，３５Ｂを閉じ合わせる。そうすると、図６に示すように、環状部３７と係合凸部４０とが係合し、突出片３９が突出片嵌合部４３に嵌合して、ナットカバー３０Ａが袋ナット８に装着される。このとき、一方の円筒構成部材３５Ｂは、他方の円筒構成部材３５Ａの端部に設けられた環状部３７と突出部４１とによって径方向両側から挟まれることとなるため、留め具３６の係合状態が安定的に保持され易くなる。
【００５５】
ナットカバー３０Ａが袋ナット８に装着された状態では、ナットカバー３０Ａの円筒部３５が袋ナット８の工具係合部８ｃを被覆する。そして、円筒部３５の内周面は、袋ナット８の最大外径部より大きく、円筒部３５と袋ナット８とは回転方向に係合し合うことがないため（つまり、相対回転自在となっているため）、ナットカバー３０Ａを誤操作により廻してしまっても、ナットカバー３０Ａは空回りしてその中の袋ナット８は緩まないようになっている。
【００５６】
また、袋ナット８の工具係合部８ｃは、ナットカバー３０Ａの円筒部３５に被覆されているため、スパナ、レンチ等の工具を袋ナット８の工具係合部８ｃに係合させることができない。しかも、ナットカバー３０Ａは、抜け防止係合部３２が袋ナット８の奥側端部に係合しており、簡単に取り外すことができないようになっている。また、突起部４１が設けられていることにより、留め具３６の環状部３７に指先が掛かり難くなっているため、容易に留め具３６を解除することができない。これにより、悪戯等によって袋ナット８が簡単に緩められることがなくなる。
【００５７】
ところで、ケーブルグランド１の袋ナット８に装着されたナットカバー３０Ａは、素手では容易に取り外すことができないものの、マイナスドライバ等の工具を使えば容易に取り外すことができるようになっている。すなわち、マイナスドライバ等の工具を留め具の環状部３７と突起部４１との間に挿入し、工具の先端を環状部３７の裏に潜り込ませてその環状部３７を起立させることで、留め具３６の環状部３７と係合凸部４０との係合を解除することができるようになっている。
【００５８】
［第３の実施形態］
以下、本発明の第３の実施の形態に係るケーブルグランド用ナットカバー３０Ｂ（以下単に「ナットカバー３０Ｂ」という。）について、図７に基づいて説明する。なお、第１の実施の形態に係るナットカバー３０と同様の構成については同符号を付してその説明を省略する。
【００５９】
第１の実施の形態に係るナットカバー３０と同様に、本実施形態に係るナットカバー３０Ｂも、ケーブルグランド１の袋ナット８に装着され、誤操作、悪戯等により袋ナット８が緩められることを防止するためのものである。このナットカバー３０Ｂも、円筒部４２、抜け防止係合部３２、押し込み規制係合部３３等を備えている。
【００６０】
円筒部４２は、第１の実施の形態における円筒部３１と同様に、ナットカバー３０Ｂが袋ナット８に装着された状態で、工具係合部８ｃを相対回転自在に被覆する。但し、本実施形態においては、円筒部４２は分割できない単体構造となっており、従って、スリット、架橋部、留め具等は設けられていない。
【００６１】
本実施形態に係るナットカバー３０Ｂをケーブルグランド１の袋ナット８へ取付ける手順や、誤操作、悪戯等を無効化する原理については、第１の実施形態において説明した内容と同様であるため、それらの説明は省略する。
【００６２】
［第４の実施形態］
以下、第４の実施の形態に係るケーブルグランド用ナットカバー３０Ｃ（以下単に「ナットカバー３０Ｃ」という。）について、図８に基づいて説明する。なお、第１の実施の形態に係るナットカバー３０と同様の構成については同符号を付してその説明を省略する。
【００６３】
第１の実施の形態に係るナットカバー３０と同様に、本実施形態に係るナットカバー３０Ｃも、ケーブルグランド１の袋ナット８に装着され、誤操作、悪戯等により袋ナット８が緩められることを防止するためのものである。このナットカバー３０Ｃも、円筒部４５、抜け防止係合部３２、押し込み規制係合部３３等を備えている。
【００６４】
円筒部４５は、図８に示すように、手前側から奥側に向かって拡径した中空円錐台の側面と同じ形状をしている。この円筒部４５も、ナットカバー３０Ｃが袋ナット８に装着された状態で、工具係合部８ｃを相対回転自在に被覆するように形成されている。
【００６５】
本実施形態においては、円筒部４５は分割できない単体構造となっており、従って、スリット、架橋部、留め具等は設けられていない。
【００６６】
ナットカバー３０Ｃが袋ナット８に装着された状態では、ナットカバー３０Ｃの円筒部４５は袋ナット８の工具係合部８ｃを相対回転自在に被覆する。そして、円筒部４５の内周面は、袋ナット８の最大外径部より大きく、円筒部４５と袋ナット８とは回転方向に係合し合うことがないため、ナットカバー３０Ｃを誤操作により廻してしまっても、ナットカバー３０Ｃが空回りしてその中の袋ナット８は緩まないようになっている。
【００６７】
また、袋ナット８の工具係合部８ｃは、ナットカバー３０Ｃの円筒部４５に被覆されているため、スパナ、レンチ等の工具を袋ナット８の工具係合部８ｃに係合させることができない。しかも、ナットカバー３０Ｃは、抜け防止係合部３２が袋ナット８の奥側端部に係合しており、簡単に取り外すことができないようになっている。このため、袋ナット８は悪戯等により簡単に緩められないようになっている。特に、本実施形態では、円筒部４５が中空円錐台の側面と同様の形状をしているため、袋ナット８の工具係合部８ｃと円筒部４５との間に比較的大きな空洞Ｈが確保されている。このため、強い力で円筒部４５を握っても袋ナット８を廻すことは困難である。また、円筒部４５は、既述の形状をしていることから、手で掴み難くなっており、このことが袋ナット８を更に廻し難くしている。
【００６８】
なお、本実施形態に係るナットカバー３０Ｃをケーブルグランド１の袋ナット８へ取付ける手順ついては、第１の実施形態において説明した内容と同様であるため、ここでは、その説明は省略する。
【００６９】
［第５の実施形態］
以下、第５の実施の形態に係るケーブルグランド用ナットカバー３０Ｄ（以下単に「ナットカバー３０Ｄ」という。）について図９〜図１０に基づいて説明する。なお、第１の実施の形態に係るナットカバー３０と同様の構成については同符号を付してその説明を省略する。
【００７０】
本実施形態に係るナットカバー３０Ｄも、第１の実施の形態に係るナットカバー３０と同様に、ケーブルグランド１の袋ナット８に装着されるものであり、円筒部４６、抜け防止係合部３２、押し込み規制係合部３３等を備えている。そして、その円筒部４６により袋ナット８の工具係合部８ｃを被覆して、誤操作、悪戯等によって袋ナット８が緩められることを防止する。
【００７１】
円筒部４６は、第１の実施の形態における円筒部３１と同様に、ナットカバー３０Ｄが袋ナット８に装着された状態で、工具係合部８ｃを相対回転自在に被覆する。本実施形態においても円筒部４６は２つの円筒構成部材４６Ａ，４６Ｂからなるが、これらの円筒構成部材４６Ａ，４６Ｂの一方の端部同士のみが架橋部３４Ａによって連結されている。なお、この架橋部３４Ａは、円筒構成部材４６Ａ，４６Ｂと一体に形成され、その肉厚は、ヒンジとして機能し易いようにできるだけ薄くなっている（例えば円筒構成部材４６Ａ，４６Ｂより薄い）ことが望ましい。
【００７２】
また、円筒構成部材４６Ａ，４６Ｂの他方の端部同士は、留め付け手段４８により留め付け可能となっている。この留め付け手段４８は、一対のビス取付部４６Ａａ，４６Ｂａと、ビス４９とで構成されている。上記ビス取付部４６Ａａ，４６Ｂａは、２つの円筒構成部材４６Ａ，４６Ｂの端部からそれぞれ径方向外側に突出している。これらのビス取付部４６Ａａ，４６Ｂａには、互いに連続したビス挿通孔Ｈ，Ｈが形成されている。上記ビス４９は、ビス取付部４６Ａａ，４６Ｂａに形成されたビス挿通孔Ｈ，Ｈに挿通される（図１０参照）。
【００７３】
なお、ビス取付部４６Ａａのビス挿通孔Ｈを丸穴とし、ビス取付部４６Ｂａのビス挿通孔Ｈをタッピング穴とし、ビス４９として、タッピングネジを採用することができる。また、ビス取付部４６Ａａ，４６Ｂａのビス挿通孔Ｈ，Ｈを丸穴とし、ビス４９のほか、このビス４９にナット（不図示）を螺着することにより、ビス取付部４６Ａａ，４６Ｂａ同士を固定してもよい。
【００７４】
以上に説明したナットカバー３０Ｄをケーブルグランド１の袋ナット８に取付けるに当たっては、まず、留め付け手段４８のビス４９をビス挿通孔Ｈ，Ｈから取り外し、円筒部４６を開いた状態にする（図９に示すような状態にする）。そして、抜け防止係合部３２が設けられている方を奥側に配置し、その抜け防止係合部３２を袋ナット８の奥側端部位置に合わせて円筒構成部材４６Ａ，４６Ｂを閉じ合わせる。そして、ビス４９をビス挿通孔Ｈ，Ｈに挿通して（ねじ込んで）円筒構成部材４６Ａ，４６Ｂ同士を固定する。これにより、ナットカバー３０Ｄが袋ナット８に装着される。
【００７５】
ナットカバー３０Ｄが袋ナット８に装着された状態では、ナットカバー３０Ｄの円筒部４６が袋ナット８の工具係合部８ｃを被覆する。そして、円筒部４６の内周面は、袋ナット８の最大径部より大きく、円筒部４６と袋ナット８とは回転方向に係合し合うことがないため（つまり、相対回転自在となっているため）、ナットカバー３０Ｄを誤操作により廻してしまっても、ナットカバー３０Ｄは空回りしてその中の袋ナット８は緩まないようになっている。
【００７６】
また、袋ナット８の工具係合部８ｃは、ナットカバー３０Ｄの円筒部３５に被覆されているため、スパナ、レンチ等の工具を袋ナット８の工具係合部８ｃに係合させることができない。しかも、ナットカバー３０Ｄは、抜け防止係合部３２が袋ナット８の奥側端部に係合しており、簡単に取り外すことができないようになっている。また、ビス４９により、円筒構成部材４６Ａ，４６Ｂ同士が固定されているため、ドライバ等の工具なしでは、容易に留め付け手段４８による固定を解除することができない。これにより、悪戯等によって袋ナット８が簡単に緩められることがなくなる。
【００７７】
［他の実施形態］
既述した袋ナット８は、スリーブ６を押圧して変形させることを目的として締め付けられるナットの一例である。つまり、本発明のナットカバーは、スリーブ押圧用ナットであれば、その他の種類のナットにも適用可能である。
【００７８】
第４の実施の形態における円筒部４５の形状を、第１、第２および第５の実施の形態に係るナットカバー３０，３０Ａ，３０Ｄの円筒部３１，３５、４６の形状として適用することも可能である。
【００７９】
袋ナット８（スリーブ押圧用ナット）を相対回転自在に被覆できるものであれば、既述の円筒部に代えて、三角筒部、四角筒部など、その他の形状の筒部を採用するも可能である。
【産業上の利用可能性】
【００８０】
本発明は、ケーブルグランドのスリーブ押圧用ナットが誤操作、悪戯等により緩められてしまうことを防止するケーブルグランド用ナットカバーとして適用可能である。
【符号の説明】
【００８１】
１  ケーブルグランド
６  スリーブ
８  袋ナット（スリーブ押圧用ナット）
８ｃ  工具係合部
３０，３０Ａ〜３０Ｄ  ケーブルグランド用ナットカバー
３１，３５，４２，４５，４６  円筒部（筒部）
３１Ａ，３１Ｂ，３５Ａ，３５Ｂ，４６Ａ，４６Ｂ  円筒構成部材（筒構成部材）
３２  抜け防止係合部
３２ａ  テーパ部
３３  押し込み規制係合部
３４，３４Ａ  架橋部
３６  留め具
３７  環状部
３８  凹部
４０  係合凸部
４１  突起部
４６Ａａ，４６Ｂａ  ビス取付部
４８  留め付け手段
４９  ビス
Ｈ  ビス挿通孔
【図１】
2011062052.tif 000003
【図２】
2011062052.tif 000004
【図３】
2011062052.tif 000005
【図４】
2011062052.tif 000006
【図５】
2011062052.tif 000007
【図６】
2011062052.tif 000008
【図７】
2011062052.tif 000009
【図８】
2011062052.tif 000010
【図９】
2011062052.tif 000011
【図１０】
2011062052.tif 000012